(57)【要約】【課題】スライダーをスムーズで安全にスライドできるようにし、鞄の機能及び品質を改善する。【解決手段】本発明は、ナイロン二層務歯ファスナー又はナイロン単層務歯逆ファスナーの下方に増厚部材が設置され、鞄にミシン縫いされた構造である。共に対向縫合される増厚部材により、鞄に縫合された後、スライダー４２の下半部から底板までの空間体積を収容することができる間隙通路が形成されるため、スライダー４２をスムーズで安全にスライドさせることができ、鞄の機能及び品質を改善することができる。鞄が硬質鞄の場合、増厚部材は、Ｎ型プレート３の中間層３２に一体成型され、中間層３２が増厚される。鞄が軟性（布）鞄の場合、増厚部材は、ファスナー布テープ４１の末端縁下方に共に縫合される。【選択図】図５
2016073614.tif 000002
【特許請求の範囲】
【請求項１】
ナイロン二層務歯ファスナー又はナイロン単層務歯逆ファスナーの下方に増厚部材が設置され、硬質鞄にミシン縫いされた構造であって、
前記ナイロン二層務歯ファスナー又は前記ナイロン単層務歯逆ファスナーのファスナー布テープとＮ型プレートの中間層と硬質鞄の裏地とは、共に対向縫合され、
共に対向縫合される前記増厚部材により、前記鞄に縫合された後、スライダーの下半部から底板までの空間体積を収容することができる間隙通路が形成され、前記増厚部材が前記N型プレートに一体成型されることによって前記中間層が増厚され、前記中間層に増厚構造が形成されることにより、前記スライダーの下半部をスムーズに通過させることができることを特徴とするナイロン二層務歯ファスナー又はナイロン単層務歯逆ファスナーの下方に増厚部材が設置され、硬質鞄にミシン縫いされた構造。
【請求項２】
前記増厚部材が縫合された後の対向距離幅は、前記スライダー本体の最も幅が広い部分の幅より大きいか、或いは、若干大きいことを特徴とする請求項１に記載のナイロン二層務歯ファスナー又はナイロン単層務歯逆ファスナーの下方に増厚部材が設置され、硬質鞄にミシン縫いされた構造。
【請求項３】
ナイロン二層務歯ファスナー又はナイロン単層務歯逆ファスナーの下方に増厚部材が設置され、軟質鞄にミシン縫いされた構造であって、
前記ナイロン二層務歯ファスナー又は前記ナイロン単層務歯逆ファスナーのファスナー布テープの末端は、前記鞄の裏地に縫合され、
共に対向縫合される前記増厚部材により、前記鞄に縫合された後、スライダーの下半部から底板までの空間体積を収容することができる間隙通路が形成され、前記増厚部材は、前記ファスナー布テープの横方向末端の下方に縫合され、前記増厚部材の一方の側面は、前記ファスナー布テープの横方向末端の側端を挿入するために用いられる上溝孔を有することを特徴とするナイロン二層務歯ファスナー又はナイロン単層務歯逆ファスナーの下方に増厚部材が設置され、軟質鞄にミシン縫いされた構造。
【請求項４】
ナイロン二層務歯ファスナー又はナイロン単層務歯逆ファスナーの下方に増厚部材が設置され、軟質鞄にミシン縫いされた構造であって、
前記ナイロン二層務歯ファスナー又は前記ナイロン単層務歯逆ファスナーのファスナー布テープの末端は、前記鞄の裏地に縫合され、
共に対向縫合される前記増厚部材により、前記鞄に縫合された後、スライダーの下半部から底板までの空間体積を収容することができる間隙通路が形成され、前記増厚部材は、前記ファスナー布テープの横方向末端の下方に縫合されることを特徴とするナイロン二層務歯ファスナー又はナイロン単層務歯逆ファスナーの下方に増厚部材が設置され、軟質鞄にミシン縫いされた構造。
【請求項５】
前記増厚部材の一方の側面は、前記ファスナー布テープの横方向末端の下方湾曲部の側端を挿入するために用いられる上溝孔を有することを特徴とする請求項４に記載のナイロン二層務歯ファスナー又はナイロン単層務歯逆ファスナーの下方に増厚部材が設置され、軟質鞄にミシン縫いされた構造。
【請求項６】
ナイロン二層務歯ファスナー又はナイロン単層務歯逆ファスナーの下方に増厚部材が設置され、軟質鞄にミシン縫いされた構造であって、
前記ナイロン二層務歯ファスナー又は前記ナイロン単層務歯逆ファスナーのファスナー布テープの末端は、前記鞄の裏地に共に対向縫合され、
共に対向縫合される前記増厚部材により、前記鞄に縫合された後、スライダーの下半部から底板までの空間体積を収容することができる間隙通路が形成されることを特徴とするナイロン二層務歯ファスナー又はナイロン単層務歯逆ファスナーの下方に増厚部材が設置され、軟質鞄にミシン縫いされた構造。
【請求項７】
前記増厚部材は、前記ファスナー布テープの横方向末端の下方に設置される上、前記軟質鞄の裏地に共に対向縫合され、前記増厚部材が縫合された後の対向距離幅は、前記スライダー本体の最も幅が広い部分の幅より大きいか、或いは、若干大きく、前記増厚部材は、前記ファスナー布テープの横方向末端の下方湾曲部の下方に設置され、前記軟質鞄の裏地の裏地布の上生地は、前記下方湾曲部の上方に位置し、前記増厚部材の下方は、前記裏地の布が被覆されたフレーム及び前記裏地の裏地布の下面であることを特徴とする請求項６に記載のナイロン二層務歯ファスナー又はナイロン単層務歯逆ファスナーの下方に増厚部材が設置され、軟質鞄にミシン縫いされた構造。
【請求項８】
前記増厚部材は、軟性パッドであり、前記軟性パッドは、軟性プラスチックプレート、発泡スチロール又は予め折り畳まれて縫合された軟性布であることを特徴とする請求項７に記載のナイロン二層務歯ファスナー又はナイロン単層務歯逆ファスナーの下方に増厚部材が設置され、軟質鞄にミシン縫いされた構造。
【請求項９】
ナイロン二層務歯ファスナー又はナイロン単層務歯逆ファスナーの下方に増厚部材が設置され、軟質鞄にミシン縫いされた構造であって、
前記ナイロン二層務歯ファスナー又は前記ナイロン単層務歯逆ファスナーのファスナー布テープの末端は、前記鞄の裏地に縫合され、
予め共に対向縫合又は接着される前記ファスナー布テープに加えられる増厚部材により、前記鞄に縫合された後、スライダーの下半部から底板までの空間体積を収容することができる間隙通路が形成され、前記増厚部材は、前記ファスナー布テープの横方向面の布端縁外側端に縫合又は接着され、前記増厚部材の両側には、肉薄部位を有し、前記肉薄部位によって前記ファスナー布テープの横方向末端の外側端に便利に縫合固定することができ、前記増厚部材は、前記ファスナー布テープの上方又は下方に予め縫合され、縫合針板及び引出ローラに合わせて設計されることを特徴とするナイロン二層務歯ファスナー又はナイロン単層務歯逆ファスナーの下方に増厚部材が設置され、軟質鞄にミシン縫いされた構造。
【請求項１０】
ナイロン二層務歯ファスナー又はナイロン単層務歯逆ファスナーの下方に増厚部材が設置され、硬質鞄にミシン縫いされた構造であって、
前記ナイロン二層務歯ファスナー又は前記ナイロン単層務歯逆ファスナーのファスナー布テープとＮ型プレートの中間層と前記硬質鞄の裏地とは、共に対向縫合され、
共に対向縫合される前記増厚部材により、前記鞄に縫合された後、スライダーの下半部から底板までの空間体積を収容することができる間隙通路が形成され、前記増厚部材が前記N型プレートに一体成型されることによって中間層が増厚され、前記中間層に増厚構造が形成されることにより、前記スライダーの下半部をスムーズに通過させることができることを特徴とするナイロン二層務歯ファスナー又はナイロン単層務歯逆ファスナーの下方に増厚部材が設置され、硬質鞄にミシン縫いされた構造。
【請求項１１】
ナイロン二層務歯ファスナー又はナイロン単層務歯逆ファスナーの下方に増厚部材が設置され、軟質鞄にミシン縫いされた構造であって、
前記ナイロン二層務歯ファスナー又は前記ナイロン単層務歯逆ファスナーのファスナー布テープの末端は、前記鞄の裏地に縫合され、
共に対向縫合される前記増厚部材により、前記鞄に縫合された後、スライダーの下半部から底板までの空間体積を収容することができる間隙通路が形成され、前記鞄にミシン縫いされる際、前記増厚部材は、四角に貼り付けられ、前記ファスナー布テープの横方向の末端に共に縫合されることを特徴とするナイロン二層務歯ファスナー又はナイロン単層務歯逆ファスナーの下方に増厚部材が設置され、軟質鞄にミシン縫いされた構造。
【発明の詳細な説明】
【技術分野】
【０００１】
本発明は、増厚部材によってファスナーのスライダーのスライドをスムーズにして安全性を高め、鞄の機能及び品質を高めることができるナイロン二層務歯ファスナー又はナイロン単層務歯逆ファスナーの下方に増厚部材が設置され、鞄にミシン縫いされた構造に関する。
【背景技術】
【０００２】
図１に示す従来のナイロンファスナー１は、単層務歯であり、硬質鞄又は軟質（布）鞄にミシン縫いされる際、ファスナー布テープ１１を基準線とした場合、鞄の裏地１０のとの間の間隙空間にスライダー１２の下底板１２１の厚さを収容することができるため、スライダー１２をスムーズにスライドさせることができる。しかし、図２に示すように、単層ナイロンファスナー１’のスライダー１２’が逆に取り付けられる設計の場合、務歯１３’が下方を向くため、鞄にミシン縫いする際、ファスナー布テープ１１’及び鞄の裏地（生地）１０’が硬質又は軟質の何れであっても、務歯１３’の厚さがファスナー布テープ１１’の水平線の下方に位置し、スライダー１２’のチャンバが逆に設計されているため、下底板１２１’の厚さに務歯１３’の厚さを加えた厚さをファスナー布テープ１１’と鞄の裏地１０’との間の間隙通路中に収容することができない。即ち、務歯１３’の厚さにスライダー１２’の下底板１２１’の厚さを加えた厚さがファスナー布テープ１１’と鞄の裏地１０’との間の間隙通路より大きい場合、スライダー１２’のスライドが阻害される。特に、鞄の角部分においては、ファスナー布テープ１１’が引っ張られる際、鞄の裏地１０’とファスナー布テープ１１’との間の間隙通路がさらに狭くなるため、スライダー１２’をスムーズにスライドできなくなり、スライダー１２’を無理に引っ張ることによって務歯が外れる現象が発生する。また、図３に示すように、従来の二層務歯ファスナー２の構造においても、鞄の角部分におけるファスナー布テープ２３中間の間隙通路の構造のために、スライダーをスムーズにスライドできなくなる欠点を有する。図３は、二層務歯ファスナー２を硬質鞄のＮ型プレートにミシン縫いした後、間隙通路が不通になった状態を示す断面図である。図３に示すような硬質鞄の裏地（生地）２０の材料は、ＰＰ／ＡＢＳ／ＰＣなどが主である。また、従来のＮ型プレート３の材料は、ＰＶＣ又はＴＰＵであり、上層３１、中間層３２及び下層３３を有する。上層３１、中間層３２及び下層３３の厚さは、略同一であり、鞄の角部分においてスライダーをスライドさせにくいという欠点を有するため、改善が求められていた。
【０００３】
本発明の発明者は、前述の従来技術の多くの欠点に鑑み、幾度もの研究及びテストを重ね、ついに本発明のナイロン二層務歯ファスナー又はナイロン単層務歯逆ファスナーの下方に増厚部材が設置され、鞄にミシン縫いされた構造を案出した。  
【先行技術文献】
【特許文献】
【０００４】
【特許文献１】特開２０００−４９１２号公報
【発明の概要】
【発明が解決しようとする課題】
【０００５】
本発明の主な目的は、増厚部材により、ファスナー布テープと裏地との間の空間をスライダー下半部から下底板までの厚さより大きくすることができ、増厚部材の厚さにより、スライダーを鞄の角部をスライドさせる際、湾曲されて引っ張られるが、スライダーの下半部から下底板までの空間体積を収容することができる空間を確保することができるため、スライダーをスムーズで安全にスライドさせることができ、鞄の機能及び品質を高めることができるナイロン二層務歯ファスナー又はナイロン単層務歯逆ファスナーの下方に増厚部材が設置され、鞄にミシン縫いされた構造を提供することにある。
【課題を解決するための手段】
【０００６】
上述の課題を解決するために、請求項１の発明は、ナイロン二層務歯ファスナー又はナイロン単層務歯逆ファスナーの下方に増厚部材が設置され、硬質鞄にミシン縫いされた構造であって、ナイロン二層務歯ファスナー又はナイロン単層務歯逆ファスナーのファスナー布テープとＮ型プレートの中間層と硬質鞄の裏地とは、共に対向縫合され、共に対向縫合される増厚部材により、鞄に縫合された後、スライダーの下半部から底板までの空間体積を収容することができる間隙通路が形成され、増厚部材がN型プレートに一体成型されることによって中間層が増厚され、中間層に増厚構造が形成されることにより、スライダーの下半部をスムーズに通過させることができることを特徴とするナイロン二層務歯ファスナー又はナイロン単層務歯逆ファスナーの下方に増厚部材が設置され、硬質鞄にミシン縫いされた構造である。
【０００７】
請求項２の発明は、増厚部材が縫合された後の対向距離幅は、スライダー本体の最も幅が広い部分の幅より大きいか、或いは、若干大きいことを特徴とする請求項１に記載のナイロン二層務歯ファスナー又はナイロン単層務歯逆ファスナーの下方に増厚部材が設置され、硬質鞄にミシン縫いされた構造である。
【０００８】
請求項３の発明は、ナイロン二層務歯ファスナー又はナイロン単層務歯逆ファスナーの下方に増厚部材が設置され、軟質鞄にミシン縫いされた構造であって、ナイロン二層務歯ファスナー又はナイロン単層務歯逆ファスナーのファスナー布テープの末端は、鞄の裏地に縫合され、共に対向縫合される増厚部材により、鞄に縫合された後、スライダーの下半部から底板までの空間体積を収容することができる間隙通路が形成され、増厚部材は、ファスナー布テープの横方向末端の下方に縫合され、増厚部材の一方の側面は、ファスナー布テープの横方向末端の側端を挿入するために用いられる上溝孔を有することを特徴とするナイロン二層務歯ファスナー又はナイロン単層務歯逆ファスナーの下方に増厚部材が設置され、軟質鞄にミシン縫いされた構造である。
【０００９】
請求項４の発明は、ナイロン二層務歯ファスナー又はナイロン単層務歯逆ファスナーの下方に増厚部材が設置され、軟質鞄にミシン縫いされた構造であって、ナイロン二層務歯ファスナー又はナイロン単層務歯逆ファスナーのファスナー布テープの末端は、鞄の裏地に縫合され、共に対向縫合される増厚部材により、鞄に縫合された後、スライダーの下半部から底板までの空間体積を収容することができる間隙通路が形成され、増厚部材は、ファスナー布テープの横方向末端の下方に縫合されることを特徴とするナイロン二層務歯ファスナー又はナイロン単層務歯逆ファスナーの下方に増厚部材が設置され、軟質鞄にミシン縫いされた構造である。
【００１０】
請求項５の発明は、増厚部材の一方の側面は、ファスナー布テープの横方向末端の下方湾曲部の側端を挿入するために用いられる上溝孔を有することを特徴とする請求項４に記載のナイロン二層務歯ファスナー又はナイロン単層務歯逆ファスナーの下方に増厚部材が設置され、軟質鞄にミシン縫いされた構造である。
【００１１】
請求項６の発明は、ナイロン二層務歯ファスナー又はナイロン単層務歯逆ファスナーの下方に増厚部材が設置され、軟質鞄にミシン縫いされた構造であって、ナイロン二層務歯ファスナー又はナイロン単層務歯逆ファスナーのファスナー布テープの末端は、鞄の裏地に共に対向縫合され、共に対向縫合される増厚部材により、鞄に縫合された後、スライダーの下半部から底板までの空間体積を収容することができる間隙通路が形成されることを特徴とするナイロン二層務歯ファスナー又はナイロン単層務歯逆ファスナーの下方に増厚部材が設置され、軟質鞄にミシン縫いされた構造である。
【００１２】
請求項７の発明は、増厚部材は、ファスナー布テープの横方向末端の下方に設置される上、軟質鞄の裏地に共に対向縫合され、増厚部材が縫合された後の対向距離幅は、スライダー本体の最も幅が広い部分の幅より大きいか、或いは、若干大きく、増厚部材は、ファスナー布テープの横方向末端の下方湾曲部の下方に設置され、軟質鞄の裏地の裏地布の上生地は、下方湾曲部の上方に位置し、増厚部材の下方は、裏地の布が被覆されたフレーム及び裏地の裏地布の下面であることを特徴とする請求項６に記載のナイロン二層務歯ファスナー又はナイロン単層務歯逆ファスナーの下方に増厚部材が設置され、軟質鞄にミシン縫いされた構造である。
【００１３】
請求項８の発明は、増厚部材は、軟性パッドであり、軟性パッドは、軟性プラスチックプレート、発泡スチロール又は予め折り畳まれて縫合された軟性布であることを特徴とする請求項７に記載のナイロン二層務歯ファスナー又はナイロン単層務歯逆ファスナーの下方に増厚部材が設置され、軟質鞄にミシン縫いされた構造である。
【００１４】
請求項９の発明は、ナイロン二層務歯ファスナー又はナイロン単層務歯逆ファスナーの下方に増厚部材が設置され、軟質鞄にミシン縫いされた構造であって、ナイロン二層務歯ファスナー又はナイロン単層務歯逆ファスナーのファスナー布テープの末端は、鞄の裏地に縫合され、予め共に対向縫合又は接着されるファスナー布テープに加えられる増厚部材により、鞄に縫合された後、スライダーの下半部から底板までの空間体積を収容することができる間隙通路が形成され、増厚部材は、ファスナー布テープの横方向面の布端縁外側端に縫合又は接着され、増厚部材の両側には、肉薄部位を有し、肉薄部位によってファスナー布テープの横方向末端の外側端に便利に縫合固定することができ、増厚部材は、ファスナー布テープの上方又は下方に予め縫合され、縫合針板及び引出ローラに合わせて設計されることを特徴とするナイロン二層務歯ファスナー又はナイロン単層務歯逆ファスナーの下方に増厚部材が設置され、軟質鞄にミシン縫いされた構造である。
【００１５】
請求項１０の発明は、ナイロン二層務歯ファスナー又はナイロン単層務歯逆ファスナーの下方に増厚部材が設置され、硬質鞄にミシン縫いされた構造であって、ナイロン二層務歯ファスナー又はナイロン単層務歯逆ファスナーのファスナー布テープとＮ型プレートの中間層と硬質鞄の裏地とは、共に対向縫合され、共に対向縫合される増厚部材により、鞄に縫合された後、スライダーの下半部から底板までの空間体積を収容することができる間隙通路が形成され、増厚部材がN型プレートに一体成型されることによって中間層が増厚され、中間層に増厚構造が形成されることにより、スライダーの下半部をスムーズに通過させることができることを特徴とするナイロン二層務歯ファスナー又はナイロン単層務歯逆ファスナーの下方に増厚部材が設置され、硬質鞄にミシン縫いされた構造である。
【００１６】
請求項１１の発明は、ナイロン二層務歯ファスナー又はナイロン単層務歯逆ファスナーの下方に増厚部材が設置され、軟質鞄にミシン縫いされた構造であって、ナイロン二層務歯ファスナー又はナイロン単層務歯逆ファスナーのファスナー布テープの末端は、鞄の裏地に縫合され、共に対向縫合される増厚部材により、鞄に縫合された後、スライダーの下半部から底板までの空間体積を収容することができる間隙通路が形成され、鞄にミシン縫いされる際、増厚部材は、四角に貼り付けられ、ファスナー布テープの横方向の末端に共に縫合されることを特徴とするナイロン二層務歯ファスナー又はナイロン単層務歯逆ファスナーの下方に増厚部材が設置され、軟質鞄にミシン縫いされた構造である。
【発明の効果】
【００１７】
本発明のナイロン二層務歯ファスナー又はナイロン単層務歯逆ファスナーの下方に増厚部材が設置され、鞄にミシン縫いされた構造は、増厚部材によってスライダーが鞄の角を通過する際、湾曲されて引っ張られるが、スライダーの下半部から下底板までの体積を収容することができる空間が確保されるため、スライダーをスムーズで安全にスライドさせる機能を実現することができ、鞄の機能及び品質を改善して高めることができる。
【図面の簡単な説明】
【００１８】
【図１】従来のナイロン単層務歯ファスナーが軟質鞄に縫合された状態を示す断面図である。
【図２】従来のナイロン単層務歯逆ファスナーが軟質鞄に縫合された後、空間が不通になった状態を示す断面図である。
【図３】従来のナイロン二層務歯ファスナーが軟質鞄に縫合された後、空間が不通になった状態を示す断面図である。
【図４】本発明のナイロン二層務歯ファスナーのファスナー布テープと増厚部材と硬質鞄の裏地とが縫合された状態を示す断面図である。
【図５】本発明のナイロン二層務歯ファスナーのファスナー布テープと増厚部材と軟質鞄の裏地とが縫合された状態を示す断面図である。
【図６】本発明のナイロン単層務歯逆ファスナーのファスナー布テープと増厚部材と軟質鞄の裏地とが縫合された状態を示す断面図である。
【図７】本発明のナイロン二層務歯ファスナーと軟質鞄の縫合用の増厚部材とが縫合された状態を示す断面図である。
【図８】本発明のナイロン二層務歯ファスナーと軟質鞄の縫合用の他の増厚部材とが縫合された状態を示す断面図である。
【図９】図８の増厚部材を示す断面図である。
【図１０】本発明のナイロン二層務歯ファスナーと軟質鞄の縫合用の他の増厚部材とが縫合された状態を示す断面図である。
【図１１】本発明の硬質鞄又は軟質鞄に実施することができる増厚部材を示す斜視図である。
【図１２】図１１の増厚部材を示す側面図である。
【発明を実施するための形態】
【００１９】
図４〜図９に示すように、本発明は、ナイロン二層務歯ファスナー又はナイロン単層務歯逆ファスナーの下方に増厚部材が設置され、鞄にミシン縫いされた構造を提供するものである。ファスナー布テープが硬質鞄のＰＣ裏地（生地）又は軟質（布）鞄の裏地（フレーム又はプラスチックに被覆された布を有する）にミシン縫いされる従来の方式において、ファスナー布テープが鞄の裏地にミシン縫いされる際に形成されるファスナー布テープと裏地との間の間隙通路に適当な厚さの軟性プラスチックプレート、発泡スチロールなどの軟性パッド、或いは、予め折り畳まれて縫合された軟性布が運用されて増厚部材が設置され、増厚部材とファスナー布テープと鞄の裏地とが対向縫合されることにより、ファスナー布テープと裏地との間の空間をスライダー下半部から下底部までの厚さより大きくすることができる。即ち、増厚部材により、スライダーが鞄の角を通過する際、湾曲されて引っ張られるが、スライダーの下半部から下底板までの体積を収容することができる空間が確保されるため、スライダーをスムーズで安全にスライドさせる機能を実現することができ、鞄の機能及び品質を改善して高めることができる。本発明は、従来のＮ型プレートの中間層を増厚し、空間を広げることによってスライダーの下半部が通路をスムーズに通過できるようにする縫合方法を提供するものである。
【００２０】
図４は、本発明のナイロン二層務歯ファスナーのファスナー布テープと増厚部材と硬質鞄の裏地とが縫合された状態を示す断面図である。Ｎ型プレート３は、上層３１、中間層３２及び下層３３を含む。中間層３２の両端は、上方及び下方に延伸し、それぞれ上層３１及び下層３３に接続される。本発明の特徴として、中間層３２は、一体成型され、増厚部材を有する構造となっている。ファスナー布テープ４１とＮ型プレート３の中間層３２と鞄の裏地２１とが共に対向縫合されることにより、ファスナー布テープ４１と硬質鞄の裏地２１との間の空間がスライダー４２の下半部から下底板４２１までの厚さより大きくなり、中間層３２の厚さにより、スライダー４２が鞄の角を通過する際、湾曲されて引っ張られるが、スライダー４２の下半部から下底板４２１までの体積を収容することができる空間を確保することができる。本発明の方法は、簡単な技術であるが、ファスナー及び鞄の領域において未だに見られない技術であり、従来の欠点を大きく改善することができ、特許出願に値する。
【００２１】
鞄は、硬質鞄と軟質鞄とに分類される。硬質鞄の裏地（生地）に使用される材料は、ＰＰ／ＡＢＳ／ＰＣなどが主である。また、Ｎ型プレート３の材料は、ＰＶＣ、ＴＰＵなどである。図４に示すように、本発明においては、Ｎ型プレート３の中間層３２が一体成型されて増厚部材を有することにより、スライダー４２の下半部を収容することができる間隙通路が形成される（即ち、増厚部材がＮ型プレートの中間層に一体成型される）。一般に二層務歯ナイロンファスナー又は単層務歯逆ファスナーは、♯８規格の場合、約２．５ｍｍ〜３．５ｍｍ増厚され、♯１０規格の場合、約３ｍｍ〜４ｍｍ増厚される。また、Ｎ型プレート３の材料は、環境に影響を与えない上、鞄にミシン縫い作業を正常に行うことができるものが選択される。即ち、環境に影響を与えない上、射出成型又は発泡成型しやすい材料、或いは、布層で増厚させたものでよく、コスト及び防水品質に基づいて選択することができる。
【００２２】
また、軟性鞄の場合、軟性パッドが射出成型又は発泡成型されるか、或いは、布層パッドにより、増厚部材が設置される。図５及び図６を参照する。図５は、本発明のナイロン二層務歯ファスナーのファスナー布テープと増厚部材と軟質鞄の裏地とが縫合された状態を示す断面図である。図６は、本発明のナイロン単層務歯逆ファスナーのファスナー布テープと増厚部材と軟質鞄の裏地とが縫合された状態を示す断面図である。軟性パッド５，５’などの増厚部材がファスナー布テープ６１，６１’の横方向末端下方に設置される。裏地７，７’の裏地布７１，７１’の上生地７１１，７１１’が上で、次に、ファスナー布テープ６１，６１’であり、下層が軟性パッド５，５’などの増厚部材である。さらに下方に布が被覆されたフレーム７２，７２’と裏地布７１，７１’の下面７１２，７１２’とが共に対向ミシン縫いされる。即ち、増厚部材５，５’は、ファスナー布テープ６１，６１’の横方向末端の下方湾曲部６１１，６１１’の下方に位置し、裏地７，７’の上生地７１１，７１１’は、下方湾曲部６１１，６１１’の上方に位置する。また、軟性パッド５，５’の下方は、裏地７，７’の布が被覆されたフレーム７２，７２’及び裏地７，７’の裏地布７１，７１’の下面７１２，７１２’であり、共に対向ミシン縫いされる。この設計方法により、縫合後にスライダー６２，６２’の下半部から底板６２１，６２１’までの空間体積を収納する間隙通路を形成することができる。これにより、スライダー６２，６２’を鞄の角部をスライドさせる際、湾曲されて引っ張られるが、スライダー６２，６２’の下半部から下底板までの体積をスムーズに通行させることができる間隙通路を確保することができ、裏地７，７’の裏地布７１，７１’の布が被覆されたフレームを包む部位７１３，７１３’が磨損するのを防止することができる。
【００２３】
また、もう１つの技術手段として、図７に示す実施形態では、ナイロン二層務歯ファスナー９０のファスナー布テープ８１又はナイロン単層務歯逆ファスナーのファスナー布テープ（図示せず）の横方向面の布端縁下方に予め適当な厚さの増厚部材が加えられる。使用時、例えば、扁平プラスチックプレート９が予め共に縫合され、鞄のメーカーによって軟性鞄（図１０も参照）の裏地に縫合されることにより、使用時にスライダー９２をスムーズにスライドできるようにすることができる。前述の扁平プラスチックプレート９などの増厚部材の一方の側面は、ファスナー布テープ８１の横方向末端の側端８１１を挿入するために用いられる上溝孔９１をさらに有する。
【００２４】
また、図８及び図９は、本発明のさらにもう１つの実施形態であり、ナイロン二層務歯ファスナー９０’のファスナー布テープ８１’又はナイロン単層務歯逆ファスナーのファスナー布テープ（図示せず）の横方向面の布端縁下方に予め扁平プラスチックプレート９’などの増厚部材が縫合され、鞄のメーカーによって軟性鞄（図示せず）の裏地に縫合されることにより、使用時にスライダー９２’をスムーズにスライドできるようにすることができる。扁平プラスチックプレート９’などの増厚部材の一方の側面は、ファスナー布テープ８１’の横方向末端の下方湾曲部の側端を挿入するために用いられる上溝孔９１’をさらに有する。
【００２５】
また、前述の軟性パッド５，５’などの増厚部材、或いは、Ｎ型プレート３の中間層３２のプレートにより、垂直方向の間隙通路が完成した際、例えば図４に示す左辺又は右辺の縫合構造の布幅をスライダー４２の本体部分の最も幅の広い部分を収容することができる幅にする必要がある。即ち、左辺又は右辺の増厚部材が縫合された後、対向する幅は、スライダー４２本体の最も幅の広い部分の幅Ｗより大きいか若干大きくなくてはならない。以上の実施の寸法は、ファスナーのサイズ及び布テープの幅に応じて設定される。
【００２６】
図１０を参照する。図１０は、本発明の他の実施形態を示し、ナイロン二層務歯ファスナー９０”のファスナー布テープ８１”又はナイロン単層務歯逆ファスナーのファスナー布テープ（図示せず）の横方向面の布端縁外側端に予め適当な厚さのプラスチックプレート９”などの増厚部材が予め縫合又は接着され、鞄のメーカーによって軟性鞄（図示せず）の裏地に縫合されることにより、スライダー９２”の下半部から底板までを収容することができる間隙通路を形成することができる。これにより、使用時、スライダー９２”をスムーズにスライドさせることができる。前述のプラスチックプレート９”などの増厚部材の両側は、肉薄部位９３”を有する。肉薄部位９３”によってファスナー布テープ８１”の横方向面の布端縁外側端に便利に縫合固定することができる。この方法により、プラスチックプレート９”及び肉薄部位９３”などの増厚部材を布テープの上方又は下方に設置することができ、縫合針板及び引出ローラの設計に合わせて決定することができる。
【００２７】
図１１及び図１２は、本発明の他の実施形態であり、この種の増厚部材９’”は、鞄にミシン縫いする際の四角部分及びファスナー布テープの布端縁（横方向末端）に位置合わせし、共に縫合するだけで、スライダーの下半部から底板までの空間体積を収容することができる間隙通路を形成することができ、コストを節約することができる。硬質鞄の場合、増厚部材９’”を一般のＮ型プレートに組み合わせて共にミシン縫いする。即ち、本実施形態を硬質鞄に応用する場合、増厚部材９’”を一般のＮ型プレートの中間層に設置し、厚さを増大させた中間層を形成することにより、中間層の厚さが増大されるため、スライダーの下半部をスムーズに通過させることができる。軟性鞄の場合、ファスナー布テープの下方に貼り付けて共に縫合することにより、スライダーの下半部から底板までの空間体積を収容することができる間隙通路を形成することができ、スライダーの下半部をスムーズに通過させ、湾曲部分で引っかかることがない。また、包装に便利であり、コストを節約することができる。
【００２８】
以上の各技術手段及び方法により、ナイロン二層務歯ファスナー又は防水機能を有する単層務歯逆ファスナーのスライダーをスムーズで安全にスライドさせることができ、鞄の機能及び品質を高めることができる。
【符号の説明】
【００２９】
２１  裏地
３  Ｎ型プレート
３１  上層
３２  中間層
３３  下層
４１  ファスナー布テープ
４２  スライダー
４２１  下底板
５  軟性パッド
５’  軟性パッド
６１  ファスナー布テープ
６１’  ファスナー布テープ
６１１  下方湾曲部
６１１’  下方湾曲部
６２  スライダー
６２’  スライダー
６２１  底板
６２１’  底板
７  裏地
７’  裏地
７１  裏地布
７１’  裏地布
７１１  上生地
７１１’  上生地
７１２  下面
７１２’  下面
７１３  布が被覆されたフレームを包む部位
７１３’  布が被覆されたフレームを包む部位
７２  布が被覆されたフレーム
７２’  布が被覆されたフレーム
８１  ファスナー布テープ
８１’  ファスナー布テープ
８１”  ファスナー布テープ
８１１  側端
８１１’  下方湾曲部
９  扁平プラスチックプレート
９’  扁平プラスチックプレート
９”  プラスチックプレート
９’”  増厚部材
９０  ナイロン二層務歯ファスナー
９０’  ナイロン二層務歯ファスナー
９０”  ナイロン二層務歯ファスナー
９１  上溝孔
９１’  上溝孔
９２  スライダー
９２’  スライダー
９２”  スライダー
９３”  肉薄部位
Ｗ  幅
【図１】
2016073614.tif 000003
【図２】
2016073614.tif 000004
【図３】
2016073614.tif 000005
【図４】
2016073614.tif 000006
【図５】
2016073614.tif 000007
【図６】
2016073614.tif 000008
【図７】
2016073614.tif 000009
【図８】
2016073614.tif 000010
【図９】
2016073614.tif 000011
【図１０】
2016073614.tif 000012
【図１１】
2016073614.tif 000013
【図１２】
2016073614.tif 000014